(57)【要約】【課題】強度を十分に確保することができる、通水管の回動装置を提供する。【解決手段】回動装置５は、段ボール製であって、梱包箱３内に収容される。そして、回動装置５は、合成樹脂材料からなる通水管１の管束１ａを支えて、その管束１ａとともに回動可能に支持される。この回動装置５は、二つの分割体５ａ、５ａを備える。ここで、各分割体５ａは、側板部５ｃと、その側板部５ｃから起立して管束１ａの内周を支持する起立部５ｄを有する。この起立部５ｄは、前記側板部５ｃを形成する板部材Ｔが、切り起こされるようにして、形成される。【選択図】  図２
2004231325.tif 000002
【特許請求の範囲】
【請求項１】
周回状に巻回された架橋ポリエチレン等の合成樹脂材料からなる通水管の管束とともに、梱包箱内に収容されて、前記通水管がその端部から順に前記梱包箱の外に引き出されるよう、前記管束を支えてその管束とともにその管束の周方向に回動可能に支持される段ボール製の回動装置であって、
二つの分割体を備え、
前記各分割体は、前記管束の各側面が前記梱包箱の内壁面と摺接するのを防止する摺接防止部を有する側板部を備え、
前記二つの分割体の少なくとも一方の分割体は、前記管束の内周を直接あるいは間接的に支持するよう、前記側板部から起立する起立部を有し、
前記起立部は、前記側板部を形成する板部材が、切り起こされあるいは折り起こされるようにして、形成されていることを特徴とする、通水管の回動装置。
【請求項２】
前記起立部は、前記管束の内周を直接支持することを特徴とする、請求項１に記載の、通水管の回動装置。
【請求項３】
前記起立部は、前記管束の内周を支持すべく、その管束の内周に当接する、角部または端部からなる縁部部分を有することを特徴とする、請求項２に記載の、通水管の回動装置。
【請求項４】
前記回動装置は、前記起立部に支えられて、前記管束の内周を支持する支持部材を備えることを特徴とする、請求項１に記載の、通水管の回動装置。
【請求項５】
前記板部材は、一枚の段ボール板からなり、前記起立部は、その一枚の段ボール板が、切り起こされあるいは折り起こされるようにして、形成されていることを特徴とする、請求項１ないし４のいずれか１項に記載の、通水管の回動装置。
【請求項６】
前記板部材は、相重なる複数枚の段ボール板からなり、前記起立部は、前記複数枚の段ボール板のうちの少なくとも一枚の段ボール板が切り起こされあるいは折り起こされるようにして、形成されていることを特徴とする、請求項１ないし４のいずれか１項に記載の、通水管の回動装置。
【請求項７】
前記複数枚の段ボール板のうちの少なくとも最外部に位置する段ボール板が切り起こされあるいは折り起こされて、前記起立部が形成されることを特徴とする、請求項６に記載の、通水管の回動装置。
【請求項８】
前記板部材における前記側板部側には、前記段ボール板の切り起こしあるいは折り起こしにより、切り欠きが形成されていることを特徴とする、請求項５または７に記載の、通水管の回動装置。
【請求項９】
前記板部材における前記側板部側には、前記段ボール板の切り起こしあるいは折り起こしにより、孔が形成されていることを特徴とする、請求項５または７に記載の、通水管の回動装置。
【請求項１０】
前記孔が形成された前記板部材における前記摺接防止部は、前記側板部の全周に渡って設けられていることを特徴とする、請求項９に記載の、通水管の回動装置。
【請求項１１】
前記起立部は、前記二つの分割体の各々に設けられていることを特徴とする、請求項１ないし１０のいずれか１項に記載の、通水管の回動装置。
【請求項１２】
前記二つの分割体は、前記管束の側面の各側から前記起立部が前記管束の中央空間に挿入されて、前記起立部同士が互いに他の起立部を補強し合うように嵌め合わされることにより、互いに組み付けられて前記管束に取り付けられることを特徴とする、請求項１１に記載の、通水管の回動装置。
【請求項１３】
前記互いに嵌め合わされた起立部は、その起立部の挿入方向に直交する断面において前記回動装置の回動軸心を囲むようにして閉鎖する枠体を形成することを特徴とする、請求項１２に記載の、通水管の回動装置。
【請求項１４】
前記起立部は、前記側板部から相対面して突設される一対の対面板からなり、
前記枠体は、前記一対の対面板が、互いに他の一対の対面板を補強し合うように井桁状に嵌め合わされて形成されることを特徴とする請求項１３に記載の、通水管の回動装置。
【請求項１５】
前記二つの分割体の各起立部には、互いに対応する位置にその起立部の先端側から切り込まれたスリットが設けられ、
前記起立部は、前記両スリット部分での嵌め合いにより掛かり合うことを特徴とする、請求項１２ないし１４のいずれか１項に記載の、通水管の回動装置。
【請求項１６】
前記二つの分割体は、前記管束の側面の各側から前記起立部が前記管束の中央空間に挿入されて、一方の分割体の前記起立部と他方の分割体の前記側板部とが嵌め合わされ、かつ、一方の分割体の前記側板部と他方の分割体の前記起立部とが嵌め合わされることにより、互いに組み付けられて前記管束に取り付けられることを特徴とする、請求項１１に記載の、通水管の回動装置。
【請求項１７】
前記二つの分割体は、前記管束の側面の各側から前記起立部が前記管束の中央空間に挿入されて、前記起立部同士が固着手段により接合されることにより、互いに組み付けられて前記管束に取り付けられることを特徴とする、請求項１１に記載の、通水管の回動装置。
【請求項１８】
前記二つの分割体は、前記管束の側面の各側から前記起立部が前記管束の中央空間に挿入されて、一方の分割体の前記起立部と他方の分割体の前記側板部とが第１の固着手段により接合され、かつ、一方の分割体の前記側板部と他方の分割体の前記起立部とが第２の固着手段により接合されることにより、互いに組み付けられて前記管束に取り付けられることを特徴とする、請求項１１に記載の、通水管の回動装置。
【請求項１９】
前記二つの分割体は、同一の形状および同一の寸法からなることを特徴とする、請求項１１ないし１８のいずれか１項に記載の、通水管の回動装置。
【請求項２０】
前記二つの分割体は、前記回動装置が回動するための軸部材を介して組み付けられて前記管束に取り付けられることを特徴とする、請求項１ないし１１のいずれか１項に記載の、通水管の回動装置。
【請求項２１】
請求項１ないし２０のいずれか１項に記載の回動装置と、前記梱包箱とを備える、通水管の梱包装置。
【請求項２２】
請求項２１に記載の梱包装置と、前記通水管とからなる、通水管の梱包装置体。
【発明の詳細な説明】
【０００１】
【発明の属する技術分野】
この発明は、梱包箱内にて、合成樹脂材料からなる通水管の管束を支持する、通水管の回動装置、並びに、その回動装置を用いた、通水管の梱包装置、および通水管の梱包装置体に関するものである。
【０００２】
【従来の技術】
従来、例えば、架橋ポリエチレン製等の合成樹脂製の可撓性を備えた給水管は、数十ｍ単位の長尺体が巻回された状態で、樹脂バンドにより固定され、段ボール箱内に収容されていた。このように段ボール箱内に収容された給水管は、施工現場等において、巻回状態のまま段ボール箱内から取り出された。そして、この給水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
なお、給水管用の装置ではないが、ケーブルの収納装置として、例えば、図４５に示されるような、ケーブル２２を回動可能に支持する収納装置２１があった（特許文献１参照）。この収納装置２１は、ケーブル２２が、巻回された状態で、箱体２３内に収納されていた。そして、箱体２３は、縦置きにされて、壁面２３ａの下部に明けられた引出孔２３ｂから、ケーブル２２が順次引き出された。
【０００４】
【特許文献１】
特開平１０−２９１７３７号公報
【０００５】
【発明が解決しようとする課題】
ところで、前記従来の巻回状態の給水管にあっては、巻き癖が強く、巻回状態の給水管を、回転させずにそのまま引き出すと、前記巻き癖と引き出された給水管の捩れにより、この給水管を鞘管内に挿通することが困難であった。
【０００６】
そこで、例えば、複数人の作業者により、一人が巻回状態の給水管を回動可能に保持し、もう一人が給水管を先端側から順次引き出して鞘管内に挿通することで、その給水管を配管するようにしていた。また、別途、回転ドラムを用意し、段ボール箱内から取り出した巻回状態の給水管を、回転ドラムに装着し、その回転ドラムにより、巻回状態の給水管を回転させるようにして、給水管を先端側から引き出すこともあった。しかし、上記のいずれの引き出し方法も、複数人の作業者を必要としたり、回転ドラムを用意する必要があったりして、面倒で作業性が悪かった。
【０００７】
また、前記ケーブル２２の収納装置２１においては、全体が段ボール等の紙によって構成されていると、強度的に弱く、特に、中空筒体で形成される回動装置としてのケーブル保持部材２４は、ケーブル２２を引き出す際、ケーブル２２の重さで潰されて、変形したり破損したりし易く、ケーブル２２の引き出しが著しく困難となる虞があった。
【０００８】
そこで、上記ケーブル保持部材２４の中心部には、直方体の軸受部材２４ａが設けられており、この軸受部材２４ａにより、ケーブル保持部材２４の変形等を防止すると考えられる。このように、このケーブル保持部材２４は、別途軸受部材２４ａが設けられるというように、部材が多く複雑となって、コスト高となるため、ケーブル保持部材２４の構造としては好ましくなかった。
【０００９】
ここにおいて、架橋ポリエチレン製等の給水管は、極めて剛性が高く、小径に巻回すると、管亀裂等を生じさせる等、耐圧強度の著しい低下を招く虞があり、例えば、ＪＩＳ６７６９により、その巻回された管束の内径が、最小で５０ｃｍと規定されている。したがって、架橋ポリエチレン管を、その管を保持する保持部材とともに回動させて、その架橋ポリエチレン管を円滑に引き出すには、保持部材は、その径を非常に大きくする必要があり、段ボールによって製作する場合には、その強度を確保することが極めて困難であった。
【００１０】
この発明は、上記した従来の問題点を解決するためになされたものであり、その目的とするところは、強度を十分に確保することができる、通水管の回動装置、並びに、その回動装置を用いた、通水管の梱包装置、および通水管の梱包装置体を提供することにある。
【００１１】
【課題を解決するための手段】
この発明に係る通水管の回動装置、通水管の梱包装置、および通水管の梱包装置体は、前記目的を達成するために、次の構成からなる。すなわち、
請求項１に記載の発明に係る通水管の回動装置は、周回状に巻回された架橋ポリエチレン等の合成樹脂材料からなる通水管の管束とともに、梱包箱内に収容されて、前記通水管がその端部から順に前記梱包箱の外に引き出されるよう、前記管束を支えてその管束とともにその管束の周方向に回動可能に支持される段ボール製の回動装置である。この回動装置は、二つの分割体を備え、それら各分割体は、前記管束の各側面が前記梱包箱の内壁面と摺接するのを防止する摺接防止部を有する側板部を備える。そして、前記二つの分割体の少なくとも一方の分割体は、前記管束の内周を直接あるいは間接的に支持するよう、前記側板部から起立する起立部を有する。この起立部は、前記側板部を形成する板部材が、切り起こされあるいは折り起こされるようにして、形成されている。
【００１２】
このように、この回動装置は、周回状に巻回された架橋ポリエチレン等の合成樹脂材料からなる通水管の管束を支えるようにして、その管束とともに、梱包箱内に収容される。このとき、回動装置は、梱包箱内において、管束とともにその管束の周方向に回動可能に支持される。ここで、回動装置は、二つの分割体を備えている。そして、この二つの分割体の少なくとも一方の分割体は、側板部から起立する起立部を有しており、この起立部が、管束の内周を直接あるいは間接的に支持する。この起立部は、側板部を形成する板部材が、切り起こされあるいは折り起こされるようにして、形成されており、この分割体の一体性が保たれる。したがって、この分割体、ひいては回動装置の強度は、十分に保たれる。ところで、管束となった通水管は、梱包箱に収容されて、保管されたり運搬されたりする。そして、通水管を配管する場合には、梱包箱内の通水管を、その端部から順に梱包箱の外に引き出すが、この引き出しに伴って、梱包箱内の管束が解かれるようにして、その管束とともに回動装置は、回動する。なお、回動装置が管束とともに回動するとは、回動装置が管束と一体となって回動する場合は勿論、管束の回動に伴って、回動装置が管束よりも遅れて回動する場合も含むものである。
【００１３】
また、請求項２に記載の発明に係る通水管の回動装置のように、請求項１に記載の回動装置において、前記起立部は、前記管束の内周を直接支持してもよい。
【００１４】
また、請求項３に記載の発明に係る通水管の回動装置のように、請求項２に記載の回動装置において、前記起立部は、前記管束の内周を支持すべく、その管束の内周に当接する、角部または端部からなる縁部部分を有していてもよい。こうして、起立部における角部または端部からなる縁部部分が、管束の内周に当接するので、起立部は、管束の内周の一部分に当接することとなり、この管束の中央空間への起立部の挿入が容易となる。
【００１５】
また、請求項４に記載の発明に係る通水管の回動装置のように、請求項１に記載の回動装置において、前記回動装置は、前記起立部に支えられて、前記管束の内周を支持する支持部材を備えてもよい。すなわち、起立部は、支持部材を介すことで、管束の内周を間接的に支持するものであってもよい。
【００１６】
また、請求項５に記載の発明に係る通水管の回動装置のように、請求項１ないし４のいずれか１項に記載の回動装置において、前記板部材は、一枚の段ボール板からなり、前記起立部は、その一枚の段ボール板が、切り起こされあるいは折り起こされるようにして、形成されてもよい。こうして、側板部を形成する板部材が、一枚の段ボール板からなり、その一枚の段ボール板が、切り起こされあるいは折り起こされて、起立部が形成される。このように、一枚の段ボール板によって、側板部と起立部が形成され、この分割体の構造が簡単となる。しかも、側板部は、段ボール板における、起立部を除く部分によって形成されるため、この側板部の面積は、小さくなる。すなわち、梱包箱の内壁面と擦る虞のある側板部において、その擦る面積が小さくなり、この回動装置は、円滑に回動可能となる。
【００１７】
また、請求項６に記載の発明に係る通水管の回動装置のように、請求項１ないし４のいずれか１項に記載の回動装置において、前記板部材は、相重なる複数枚の段ボール板からなり、前記起立部は、前記複数枚の段ボール板のうちの少なくとも一枚の段ボール板が切り起こされあるいは折り起こされるようにして、形成されてもよい。これにより、板部材、つまりは分割体は、相重なる複数枚の段ボール板によって形成され、この分割体の強度は、安定する。
【００１８】
また、請求項７に記載の発明に係る通水管の回動装置のように、請求項６に記載の回動装置において、前記複数枚の段ボール板のうちの少なくとも最外部に位置する段ボール板が切り起こされあるいは折り起こされて、前記起立部が形成されてもよい。このように、起立部を形成するために、側板部を形成する複数枚の段ボール板のうちの少なくとも最外部に位置する段ボール板が、切り起こされあるいは折り起こされることから、梱包箱の内壁面と擦る虞のある側板部において、その擦る面積が小さくなり、この回動装置は、円滑に回動可能となる。
【００１９】
また、請求項８に記載の発明に係る通水管の回動装置のように、請求項５または７に記載の回動装置において、前記板部材における前記側板部側には、前記段ボール板の切り起こしあるいは折り起こしにより、切り欠きが形成されてもよい。こうして、板部材における側板部側に切り欠きが形成され、この切り欠きにより、側板部は、梱包箱の内壁面と擦る面積が小さくなる。
【００２０】
また、請求項９に記載の発明に係る通水管の回動装置のように、請求項５または７に記載の回動装置において、前記板部材における前記側板部側には、前記段ボール板の切り起こしあるいは折り起こしにより、孔が形成されてもよい。こうして、板部材における側板部側に孔が形成され、この孔により、側板部は、梱包箱の内壁面と擦る面積が小さくなる。
【００２１】
また、請求項１０に記載の発明に係る通水管の回動装置のように、請求項９に記載の回動装置において、前記孔が形成された前記板部材における前記摺接防止部は、前記側板部の全周に渡って設けられるのが望ましい。こうして、摺接防止部が、側板部の全周に渡って設けられることから、管束を構成する通水管が摺接防止部と梱包箱の内壁面との間に入り込むことが阻止される。
【００２２】
また、請求項１１に記載の発明に係る通水管の回動装置のように、請求項１ないし１０のいずれか１項に記載の回動装置において、前記起立部は、前記二つの分割体の各々に設けられてもよい。こうして、側板部を形成する板部材が切り起こされあるいは折り起こされるように形成されて、管束の内周を直接的にあるいは間接的に支持する起立部が、二つの分割体に設けられることから、それぞれの分割体の一体性が保たれる。したがって、これら分割体、ひいては回動装置の強度は、一層、十分に保たれる。
【００２３】
また、請求項１２に記載の発明に係る通水管の回動装置のように、請求項１１に記載の回動装置において、前記二つの分割体は、前記管束の側面の各側から前記起立部が前記管束の中央空間に挿入されて、前記起立部同士が互いに他の起立部を補強し合うように嵌め合わされることにより、互いに組み付けられて前記管束に取り付けられてもよい。これにより、この回動装置を、管束に取り付けるにあたって、各分割体における、側板部から起立して管束の中央空間に挿入される起立部同士が、互いに他の起立部を補強し合うように嵌め合わされて、二つの分割体は、互いに組み付けられる。こうして、起立部が互いに他の起立部を補強し合うことで、この回動装置の強度は、さらに一層、十分に保たれる。そして、このように、二つの分割体は、起立部同士が嵌め合わされて互いに組み付けられ、この組み付けによって管束に取り付けられる。
【００２４】
また、請求項１３に記載の発明に係る通水管の回動装置のように、請求項１２に記載の回動装置において、前記互いに嵌め合わされた起立部は、その起立部の挿入方向に直交する断面において前記回動装置の回動軸心を囲むようにして閉鎖する枠体を形成していてもよい。こうして、互いに嵌め合わされた起立部が、回動軸心を囲むようにして閉鎖する枠体を形成することで、この回動装置の強度は、より一層、十分に保たれる。
【００２５】
また、請求項１４に記載の発明に係る通水管の回動装置のように、請求項１３に記載の回動装置において、前記起立部は、前記側板部から相対面して突設される一対の対面板からなり、前記枠体は、前記一対の対面板が、互いに他の一対の対面板を補強し合うように井桁状に嵌め合わされて形成されてもよい。このように、起立部は、一対の対面板からなり、それら一対の対面板が井桁状に嵌め合わされて、前記枠体が形成されることから、この回動装置の強度は、確実に維持される。
【００２６】
また、請求項１５に記載の発明に係る通水管の回動装置のように、請求項１２ないし１４のいずれか１項に記載の回動装置において、前記二つの分割体の各起立部には、互いに対応する位置にその起立部の先端側から切り込まれたスリットが設けられ、前記起立部は、前記両スリット部分での嵌め合いにより掛かり合ってもよい。こうして、二つの分割体は、それぞれの起立部がスリット部分での嵌め合いにより掛り合うことで、確実に組み付けられる。
【００２７】
また、請求項１６に記載の発明に係る通水管の回動装置のように、請求項１１に記載の回動装置において、前記二つの分割体は、前記管束の側面の各側から前記起立部が前記管束の中央空間に挿入されて、一方の分割体の前記起立部と他方の分割体の前記側板部とが嵌め合わされ、かつ、一方の分割体の前記側板部と他方の分割体の前記起立部とが嵌め合わされることにより、互いに組み付けられて前記管束に取り付けられてもよい。これにより、この回動装置を、管束に取り付けるにあたって、一方の分割体の起立部と他方の分割体の側板部とが嵌め合わされ、そして、一方の分割体の側板部と他方の分割体の起立部とが嵌め合わされて、二つの分割体は、互いに組み付けられる。こうして、それぞれの起立部と側板部とが嵌め合わされることで、この回動装置の強度は、さらに一層、十分に保たれる。そして、このように、二つの分割体は、それぞれの起立部と側板部とが嵌め合わされて互いに組み付けられ、この組み付けによって管束に取り付けられる。
【００２８】
また、請求項１７に記載の発明に係る通水管の回動装置のように、請求項１１に記載の回動装置において、前記二つの分割体は、前記管束の側面の各側から前記起立部が前記管束の中央空間に挿入されて、前記起立部同士が固着手段により接合されることにより、互いに組み付けられて前記管束に取り付けられてもよい。これにより、この回動装置を、管束に取り付けるにあたって、管束の中央空間に挿入される起立部同士が固着手段により接合されて、二つの分割体は、互いに組み付けられる。こうして、起立部同士が固着手段により接合されることで、この回動装置の強度は、さらに一層、十分に保たれる。そして、このように、二つの分割体は、起立部同士が固着手段によって接合されて互いに組み付けられ、この組み付けによって管束に取り付けられる。
【００２９】
また、請求項１８に記載の発明に係る通水管の回動装置のように、請求項１１に記載の回動装置において、前記二つの分割体は、前記管束の側面の各側から前記起立部が前記管束の中央空間に挿入されて、一方の分割体の前記起立部と他方の分割体の前記側板部とが第１の固着手段により接合され、かつ、一方の分割体の前記側板部と他方の分割体の前記起立部とが第２の固着手段により接合されることにより、互いに組み付けられて前記管束に取り付けられてもよい。これにより、この回動装置を、管束に取り付けるにあたって、一方の分割体の起立部と他方の分割体の側板部とが第１の固着手段により接合され、そして、一方の分割体の側板部と他方の分割体の起立部とが第２の固着手段により接合されて、二つの分割体は、互いに組み付けられる。こうして、それぞれの起立部と側板部とが固着手段により接合されることで、この回動装置の強度は、さらに一層、十分に保たれる。そして、このように、二つの分割体は、それぞれの起立部と側板部とが固着手段によって接合されて互いに組み付けられ、この組み付けによって管束に取り付けられる。
【００３０】
また、請求項１９に記載の発明に係る通水管の回動装置のように、請求項１１ないし１８のいずれか１項に記載の回動装置において、前記二つの分割体は、同一の形状および同一の寸法からなってもよい。これにより、部品の共通化が図られ、この回動装置のコストが低減される。
【００３１】
また、請求項２０に記載の発明に係る通水管の回動装置のように、請求項１ないし１１のいずれか１項に記載の回動装置において、前記二つの分割体は、前記回動装置が回動するための軸部材を介して組み付けられて前記管束に取り付けられてもよい。すなわち、二つの分割体は、直接組み付けられなくとも、軸部材を介すことで組み付けられてもよい。
【００３２】
また、請求項２１に記載の発明に係る通水管の梱包装置は、請求項１ないし２０のいずれか１項に記載の回動装置と、前記梱包箱とを備える。
【００３３】
また、請求項２２に記載の発明に係る通水管の梱包装置体は、請求項２１に記載の梱包装置と、前記通水管とからなる。
【００３４】
【発明の実施の形態】
以下、この発明に係る通水管の回動装置、通水管の梱包装置、および通水管の梱包装置体の実施の形態を図面に基づいて説明する。
【００３５】
図１ないし図９は、本発明に係る、通水管の、回動装置、梱包装置および梱包装置体の一実施の形態を示す。図中符号１は、例えば、配管材としての、架橋ポリエチレンあるいはポリブデン等の合成樹脂材料からなる、可撓性を備えた、給水管等の通水管である。３は、周回状に巻回された前記通水管１の管束１ａが収容される梱包箱である。５は、前記管束１ａとともに梱包箱３内に収容される段ボール製の回動装置であって、通水管１がその端部から順に梱包箱３の外に引き出されるよう、管束１ａを支えてその管束１ａとともにその管束１ａの周方向に回動可能に支持される。もっとも、回動装置５が管束１ａとともに回動とは、回動装置５が管束１ａと一体となって回動する場合は勿論、管束１ａの回動に伴って、回動装置５が管束１ａよりも遅れて回動する場合も含む。そして、１０は、梱包装置であって、前記回動装置５と前記梱包箱３とを備えている。１１は、梱包装置体であって、前記梱包装置１０と、前記通水管１とからなる。
【００３６】
ここで、梱包箱３は、例えば紙製（詳細には、段ボール製）であって、図示実施の形態においては、矩形形状の六面体、すなわち直六面体からなる。そして、この梱包箱３には、通水管１を、その端部から順に外に引き出すための引出部３ｃが備わっている。また、この引出部３ｃには、その引出部３ｃを開閉する蓋３ｄが設けられている。そして、梱包箱３には、蓋３ｄの閉状態および開状態を保持するための保持手段Ｈとなるクリップ４が設けられている。
【００３７】
回動装置５は、二つの分割体５ａ、５ａを備えている。そして、各分割体５ａは、管束１ａの各側面１ｂが梱包箱３の内壁面と摺接するのを防止する摺接防止部５ｂを有する側板部５ｃを備えている。さらに、二つの分割体５ａ、５ａの少なくとも一方の分割体５ａ（図示実施の形態においては、両分割体５ａ、５ａ）は、管束１ａの内周を直接あるいは間接的に（図示実施の形態においては、直接）支持するよう、側板部５ｃから起立する起立部５ｄを有している。そして、この起立部５ｄは、側板部５ｃを形成する板部材Ｔが、切り起こされあるいは折り起こされるようにして（図示実施の形態においては、切り起こされるようにして）、形成されている。また、この起立部５ｄは、管束１ａの内周を支持すべく、その管束１ａの内周に当接する、角部または端部からなる縁部部分Ｅ、Ｅを有している。
【００３８】
そして、二つの分割体５ａ、５ａは、管束１ａの側面１ｂ、１ｂの各側から起立部５ｄ、５ｄが管束１ａの中央空間１ｄに挿入されて、起立部５ｄ、５ｄ同士が互いに他の起立部５ｄを補強し合うように嵌め合わされることにより、互いに組み付けられて管束１ａに取り付けられる。このとき、互いに嵌め合わされた起立部５ｄ、５ｄは、その起立部５ｄ、５ｄの挿入方向に直交する断面においてこの回動装置５の回動軸心Ｊを囲むようにして閉鎖する枠体Ｙを形成している（図２参照）。
【００３９】
具体的には、分割体５ａを形成する板部材Ｔは、一枚の段ボール板からなる。すなわち、この段ボール板によって側板部５ｃが形成され、そして、起立部５ｄは、側板部５ｃから延設されるよう、一枚の段ボール板が、切り起こされあるいは折り起こされるようにして（図示実施の形態においては、切り起こされるようにして）形成されている（図６、図７参照）。そして、この切り起こしにより、板部材Ｔにおける側板部５ｃ側には、孔Ｕ、Ｕが形成される。そして、この孔Ｕ、Ｕが形成された板部材Ｔにおける前記摺接防止部５ｂは、側板部５ｃの全周に渡って設けられている。
【００４０】
詳細には、二つの分割体５ａ、５ａの各起立部５ｄは、前記挿入方向に直交する断面において閉鎖することのない片部からなる。そして、前記枠体Ｙは、この片部が、互いに他の片部を補強し合うように嵌め合わされて形成されている。より詳細には、起立部５ｄ、すなわち片部は、側板部５ｃから相対面して突設される一対の対面板Ｐ、Ｐからなる。そして、前記枠体Ｙは、一対の対面板Ｐ、Ｐが、互いに他の一対の対面板Ｐ、Ｐを補強し合うように井桁状に嵌め合わされて形成される。すなわち、この枠体Ｙは、その閉鎖する断面が、多角形状、具体的には四角形状をしている。また、起立部５ｄとなる対面板Ｐ、Ｐの両側端が、管束１ａの内周に当接する前記縁部部分Ｅ、Ｅとなっている。
【００４１】
また、二つの分割体５ａ、５ａの各起立部５ｄ、５ｄには、互いに対応する位置にその起立部５ｄ、５ｄの先端側から切り込まれたスリット５ｅ、５ｅが設けられている。そして、二つの分割体５ａ、５ａにおける起立部５ｄ、５ｄは、両スリット５ｅ、５ｅ部分での嵌め合いにより掛かり合い、こうして、二つの分割体５ａ、５ａは、起立部５ｄ、５ｄ同士が互いに他の起立部５ｄを補強し合うように嵌め合わされる。なお、図示実施の形態においては、これら二つの分割体５ａ、５ａは、同一の形状および同一の寸法からなる。そして、回動装置５（詳細には、分割体５ａ、５ａの側板部５ｃ、５ｃ）には、その回動軸心Ｊ部分に、軸孔５ｆ、５ｆが明けられている。
【００４２】
また、梱包装置１０は、軸部材６を備えており、この軸部材６を介して、回動装置５は、管束１ａとともにその管束１ａの周方向に回動可能に支持される。この軸部材６は、例えば紙製であって、図４に示すように、梱包箱３の側壁３ｆ、３ｆ、つまりは管束１ａの各側面１ｂ、１ｂと対向する側壁３ｆ、３ｆに、渡されるようにして取り付けられる。詳細には、軸部材６は、回動装置５に明けられた軸孔５ｆ、５ｆに挿通されるとともに、側壁３ｆ、３ｆ間が広がるのを防止すべく、両側壁３ｆ、３ｆに渡されるようにして取り付けられる。この軸部材６は、各側壁３ｆ、３ｆに明けられた貫通孔３ｐ、３ｐおよび前記軸孔５ｆ、５ｆに通される軸本体６ａと、その軸本体６ａの両端部分に設けられて側壁３ｆ、３ｆの外面と対向する鍔部６ｂ、６ｂとを備える。そして、軸本体６ａは、両鍔部６ｂ、６ｂが離間しないように、それら鍔部６ｂ、６ｂを保持する。
【００４３】
具体的には、軸部材６は、前記軸本体６ａと、前記鍔部６ｂ、６ｂが備わる板状の鍔材６ｈ、６ｈとからなる。ここで、軸本体６ａは、前記貫通孔３ｐ、３ｐおよび前記軸孔５ｆ、５ｆに、当接するようにして挿通される管材Ｋ、例えば板紙からなる円筒状の管材を有している。一方、鍔材６ｈは、例えば円盤状に形成されて、その周縁部分が、前記鍔部６ｂとなっている。そして、この鍔材６ｈが、管材Ｋの端面に接着等により固着している。
【００４４】
また、管材Ｋは、一方側の貫通孔３ｐおよび軸孔５ｆに通される第１の管材６ｃと、他方側の貫通孔３ｐおよび軸孔５ｆに通される第２の管材６ｄとからなる。そこで、軸部材６は、一方側の鍔材６ｈと第１の管材６ｃとが固着した第１の分割体６ｉと、他方側の鍔材６ｈと第２の管材６ｄとが固着した第２の分割体６ｊとを有して、それら分割体６ｉ、６ｊが互いに接続されてなる。図示実施の形態においては、第１の分割体６ｉは、第１の管材６ｃに嵌められて、例えば接着によって固定された連設部６ｅを有している。そして、その連設部６ｅが、第２の分割体６ｊにおける前記第２の管材６ｄに嵌められる。このとき、第１の分割体６ｉと第２の分割体６ｊとは、第１の分割体６ｉにおける連設部６ｅの端面に、第２の分割体６ｊにおける鍔材６ｈの裏面が接着されることで接続される。
【００４５】
そして、図８および図９に示すように、連設部６ｅは、例えば段ボールからなる平板状の複数（図示実施の形態においては２枚）の板片６ｆ、６ｆからなる。この板片６ｆ、６ｆには、その縁部から切り込まれたスリット６ｇ、６ｇが設けられており、それら板片６ｆ、６ｆは、互いのスリット６ｇ、６ｇ部分での嵌め合いにより掛かり合って組み付けられている。
【００４６】
次に、以上の構成からなる回動装置５を含む梱包装置１０および梱包装置体１１の作用効果について説明する。この回動装置５は、周回状に巻回された合成樹脂材料からなる通水管１の管束１ａを支えるようにして、その管束１ａとともに、梱包箱３内に収容される。このとき、回動装置５は、梱包箱３内において、管束１ａとともにその管束１ａの周方向に回動可能に支持される（図示実施の形態においては、軸部材６を介して支持される）。このように、管束１ａとなった通水管１は、梱包箱３に収容されて、保管されたり運搬されたりする。そして、通水管１を配管する場合には、図１および図２に示すように、梱包箱３内の通水管１を、その端部から順に梱包箱３の外に引き出すが、この引き出しに伴って、梱包箱３内の管束１ａが解かれるようにして、その管束１ａとともに回動装置５が回動する。こうして、管束１ａが解かれるように回動することで、通水管１が捩れることがなく、通水管１の巻き癖を取りながら引き出すことができ、通水管１の引き出し作業を簡単に行うことができる。そして、このようにして、梱包箱３から引き出された通水管１は、例えば、予め所定の配管経路に沿って配備された鞘管内に挿通されるようにして配管される。
【００４７】
ここで、回動装置５は、二つの分割体５ａ、５ａを備えている。そして、各分割体５ａは、側板部５ｃから起立する起立部５ｄを有しており、この起立部５ｄが、管束１ａの内周を直接支持する。この起立部５ｄは、側板部５ｃを形成する板部材Ｔが、切り起こされあるいは折り起こされるようにして（図示実施の形態においては、切り起こされるようにして）、形成されており、この分割体５ａの一体性が保たれる。そして、このように、分割体５ａの一体性が保たれることから、この分割体５ａ、ひいては回動装置５の強度を、十分に確保することができる。しかも、図示実施の形態においては、この起立部５ｄは、二つの分割体５ａ、５ａの各々に設けられることから、それぞれの分割体５ａ、５ａの一体性が保たれ、この回動装置５の強度を、一層、十分に確保することができる。
【００４８】
そして、この回動装置５を、管束１ａに取り付けるにあたって、各分割体５ａ、５ａにおける、側板部５ｃ、５ｃから起立して管束１ａの中央空間１ｄに挿入される起立部５ｄ、５ｄ同士が、互いに他の起立部５ｄを補強し合うように嵌め合わされて、二つの分割体５ａ、５ａは、互いに組み付けられる。こうして、起立部５ｄ、５ｄが互いに他の起立部５ｄを補強し合うことで、この回動装置５の強度を、さらに一層、十分に確保することができる。そして、このように、二つの分割体５ａ、５ａは、起立部５ｄ、５ｄ同士が嵌め合わされて互いに組み付けられ、この組み付けによって管束１ａに取り付けられる。このように、この回動装置５は、二つの分割体５ａ、５ａにおける起立部５ｄ、５ｄを嵌め合わせるというように、簡単な構成で管束１ａへの取り付けを容易に行なうことができる。また、このとき、起立部５ｄにおける角部または端部からなる縁部部分Ｅ、Ｅが、管束１ａの内周に当接するので、起立部５ｄは、管束１ａの内周の一部分に当接することとなり、したがって、起立部５ｄを、管束１ａの中央空間１ｄへ容易に挿入することができる。
【００４９】
しかも、二つの分割体５ａ、５ａにおいて、互いに嵌め合わされた起立部５ｄ、５ｄが、回動軸心Ｊを囲むようにして閉鎖する枠体Ｙを形成することで、この回動装置５の強度を、より一層、十分に確保することができる。そして、起立部５ｄは、一対の対面板Ｐ、Ｐからなり、それら一対の対面板Ｐ、Ｐが井桁状に嵌め合わされて、前記枠体Ｙが形成されることから、この回動装置５の強度を、確実に維持することができる。その上、二つの分割体５ａ、５ａは、それぞれの対面板Ｐ、Ｐ、すなわち起立部５ｄ、５ｄが、スリット５ｅ、５ｅ部分での嵌め合いにより掛り合うことで、これら二つの分割体５ａ、５ａは、確実に組み付けられる。
【００５０】
また、側板部５ｃを形成する板部材Ｔが、一枚の段ボール板からなり、その一枚の段ボール板が、切り起こされあるいは折り起こされて（図示実施の形態においては、切り起こされて）、起立部５ｄが形成される。このように、一枚の段ボール板によって、側板部５ｃと起立部５ｄが形成されることから、この分割体５ａの構造が簡単となる。しかも、側板部５ｃは、段ボール板における、起立部５ｄを除く部分によって形成されるため、この側板部５ｃの面積は、小さくなる。つまり、切り起こしによって、段ボール板（板部材Ｔ）における側板部５ｃ側に孔Ｕが形成され、この孔Ｕにより、側板部５ｃの面積は、小さくなる。このように、梱包箱３の内壁面と擦る虞のある側板部５ｃにおいて、その擦る面積が小さくなることから、この回動装置５を、円滑に回動させることができる。もっとも、切り起こしによって、側板部５ｃ側に、孔Ｕが形成される場合だけでなく、切り欠き（例えば、後述する、図１６および図１７等に示す切り欠きＶ）が形成される場合においても同様の作用効果を有する。
【００５１】
また、分割体５ａにおいて、段ボール板（板部材Ｔ）が切り起こされるにも拘わらず、摺接防止部５ｂが、側板部５ｃの全周に渡って設けられている。したがって、管束１ａを構成する通水管１が摺接防止部５ｂと梱包箱３の内壁面との間に入り込むのを阻止することができる。
【００５２】
さらに、二つの分割体５ａ、５ａは、同一の形状および同一の寸法からなるので、この部品の共通化が図られ、回動装置５のコストを低減することができる。そして、回動装置５は、段ボール製であるため、このことによっても回動装置５のコストを低減することができ、しかも、梱包装置１０を使用後に廃棄する場合に、この回動装置５を容易に廃棄することができる。
【００５３】
また、軸部材６は、その軸本体６ａが、側壁３ｆ、３ｆの外面と対向する両鍔部６ｂ、６ｂが離間しないように、それら鍔部６ｂ、６ｂを保持している。こうして、離間することのない両鍔部６ｂ、６ｂが、梱包箱３の側壁３ｆ、３ｆを挟むこととなり、通水管１を引き出す力とか管束１ａの自重等が、梱包箱３に作用した場合であっても、側壁３ｆ、３ｆ間が広がって梱包箱３が変形するのを防止することができ、通水管１の引き出し作業を安定して行うことができる。しかも、軸部材６が紙製であるため、この軸部材６のコストを低減することができ、しかも、梱包装置１０を使用後に廃棄する場合に、この軸部材６を容易に廃棄することができる。
【００５４】
なお、本発明は、上述した実施の形態に限定されるわけではなく、その他種々の変更が可能である。例えば、図１０ないし図４３は、回動装置５の変形例を示しており、以下に、その構成を簡単に説明する。
【００５５】
図１０および図１１に示す回動装置５によると、分割体５ａとなる板部材Ｔは、相重なる複数枚の段ボール板からなっている。そして、起立部５ｄは、複数枚の段ボール板のうち少なくとも一枚の段ボール板が切り起こされあるいは折り起こされるようにして、形成され、そして、残された部分および外側の段ボール板によって、側板部５ｃが形成される。詳細には、板部材Ｔは、相重なる二枚の段ボール板からなっている。そして、二枚の段ボール板のうち内側の段ボール板が折り起こされるようにして、一対の対面板Ｐ、Ｐからなる起立部５ｄが形成される。そして、各分割体５ａにおいて、複数枚（図示実施の形態においては、二枚）の段ボール板の重合部分は、接着等により接合される（以下に示す例においても、分割体５ａが、複数枚の段ボール板からなる場合は同様）。この実施の形態によると、板部材Ｔ、つまりは分割体５ａは、相重なる複数枚（図示実施の形態においては、二枚）の段ボール板によって形成されるので、この分割体５ａの強度は、安定することとなる。
【００５６】
図１２および図１３に示す回動装置５によると、分割体５ａとなる板部材Ｔは、相重なる複数枚、例えば二枚の段ボール板からなっている。そして、二枚の段ボール板のうち内側の段ボール板が折り起こされるようにして、断面四角形状の起立部５ｄが形成され、残された部分および外側の段ボール板によって側板部５ｃが形成される。そして、起立部５ｄ、５ｄがスリット５ｅ、５ｅ部分で嵌め合わされて形成される枠体Ｙは、その閉鎖する断面が、多角形状、具体的には八角形状をしている。
【００５７】
図１４および図１５に示す回動装置５によると、分割体５ａとなる板部材Ｔは、一枚の段ボール板からなっている。そして、この段ボール板が、四ヵ所切り起こされるようにして、断面略四角形状であって、その四角形状の各辺が分断された起立部５ｄが形成され、残された部分が側板部５ｃとなっている。すなわち、二つの分割体５ａ、５ａの各起立部５ｄ、５ｄは、挿入方向に直交する断面において閉鎖することのない片部からなる。また、この切り起こしにより、側板部５ｃ側には、孔Ｕ、Ｕが形成される。そして、二つの分割体５ａ、５ａの起立部５ｄ、５ｄ、すなわち片部が、互いに他の片部を補強し合うように嵌め合わされて形成される枠体Ｙは、その閉鎖する断面が、八角形状をしている。この実施の形態においては、スリット５ｅ、５ｅの切り込みが浅く、起立部５ｄ、５ｄ同士のスリット５ｅ、５ｅ部分での嵌め合いは、挿入方向の中間位置までとなっている。
【００５８】
図１６および図１７に示す回動装置５によると、分割体５ａとなる板部材Ｔは、一枚の段ボール板からなっている。そして、この段ボール板が、三ヵ所切り起こされるようにして、断面略三角形状であって、その三角形状の各辺が分断された起立部５ｄが形成され、残されて部分が側板部５ｃとなっている。すなわち、二つの分割体５ａ、５ａの各起立部５ｄ、５ｄは、挿入方向に直交する断面において閉鎖することのない片部からなる。また、この切り起こしにより、側板部５ｃ側には、切り欠きＶが形成される。そして、二つの分割体５ａ、５ａの起立部５ｄ、５ｄが、互いに他の起立部５ｄを補強し合うように嵌め合わされて（具体的には、スリット５ｅ、５ｅ部分で嵌め合わされて）形成される枠体Ｙは、その閉鎖する断面が、六角形状をしている。
【００５９】
図１８および図１９に示す回動装置５によると、分割体５ａとなる板部材Ｔは、相重なる複数枚、例えば二枚の段ボール板からなっている。そして、二つの分割体５ａ、５ａの各起立部５ｄ、５ｄは、その挿入方向に直交する断面において閉鎖する多角形の枠部からなる。詳細には、二枚の段ボール板のうち内側の段ボール板が折り起こされるようにして、断面三角形の前記枠部が形成され、残された部分および外側の段ボール板によって側板部５ｃが形成される。そして、起立部５ｄすなわち枠部が嵌め合わされて形成される閉鎖する枠体Ｙは、枠部の各片が、互いに他の枠部の各片を補強し合うように交差状に嵌め合わされて（具体的には、スリット５ｅ、５ｅ部分で嵌め合わされて）形成される。そして、図示実施の形態においては、枠体Ｙは、その閉鎖する断面が、六角形状をしている。この回動装置５によれば、各起立部５ｄ、５ｄが閉鎖する多角形の枠部からなり、それら枠部の各片が交差状に嵌め合わされることで、前記枠体Ｙが形成されるというように、二つの分割体５ａ、５ａの起立部５ｄ、５ｄが嵌め合わされる前から、各起立部５ｄ、５ｄは、閉鎖する枠部からなっているため、この回動装置５の強度を、さらに一層、十分に確保することができる。
【００６０】
図２０および図２１に示す回動装置５によると、分割体５ａとなる板部材Ｔは、相重なる複数枚、例えば二枚の段ボール板からなっている。そして、二つの分割体５ａ、５ａの各起立部５ｄ、５ｄは、その挿入方向に直交する断面において閉鎖する枠部、例えば多角形の枠部からなる。詳細には、二枚の段ボール板のうち内側の段ボール板が折り起こされるようにして、断面四角形の前記枠部が形成され、残された部分および外側の段ボール板によって側板部５ｃが形成される。そして、起立部５ｄ、５ｄすなわち枠部が嵌め合わされて形成される閉鎖する枠体Ｙは、枠部が、互いに他の枠部を補強し合うように重合して形成される。そして、この重合により、枠体Ｙは、その閉鎖する断面が、枠部と同様の形状、すなわち四角形状をしている。この回動装置５によれば、各起立部５ｄ、５ｄが閉鎖する枠部からなり、それら枠部が重合して、すなわち嵌め合わされて、前記枠体Ｙが形成されるというように、二つの分割体５ａ、５ａの起立部５ｄ、５ｄが嵌め合わされる前から、各起立部５ｄ、５ｄは、閉鎖する枠部からなっているため、この回動装置５の強度を、さらに一層、十分に確保することができる。また、この実施の形態においては、枠部すなわち起立部５ｄ、５ｄが重合することから、この起立部５ｄ、５ｄにスリット５ｅ、５ｅは設けられていない。
【００６１】
図２２および図２３に示す回動装置５によると、分割体５ａとなる板部材Ｔは、一枚の段ボール板からなっている。そして、この段ボール板が、四ヵ所切り起こされるようにして、起立部５ｄが形成され、残された部分が側板部５ｃとなっている。そして、この切り起こしにより、一方の分割体５ａにおいては、側板部５ｃ側に、切り欠きＶが形成され、他方の分割体５ａにおいては、側板部５ｃ側に、孔Ｕが形成される。ところで、この回動装置５は、二つの分割体５ａ、５ａの起立部５ｄ、５ｄが互いに嵌め合わされたとき、閉鎖する枠体Ｙを形成しない。すなわち、起立部５ｄ、５ｄを形成する各片部が、独立して嵌め合わされる。また、この実施の形態においては、二つの分割体５ａ、５ａは、異なる形状となっており、起立部５ｄ、５ｄ同士が、交差（例えば、直交）するようにして、スリット５ｅ、５ｅ部分において嵌め合わされることにより、互いに組み付けられる。
【００６２】
図２４および図２５に示す回動装置５によると、分割体５ａとなる板部材Ｔは、一枚の段ボール板からなっている。そして、この段ボール板が、六ヵ所切り起こされるようにして、起立部５ｄが形成され、残された部分が側板部５ｃとなっている。そして、この切り起こしにより、側板部５ｃ側には、孔Ｕ、Ｕが形成される。また、起立部５ｄは、その面が回動軸心Ｊを中心とする周方向を向くように起立している。したがって、起立部５ｄ、５ｄ同士をスリット５ｅ、５ｅ部分で嵌め合わせる際には、それら起立部５ｄ、５ｄを若干捩じるようにして交差させて嵌め合わせる必要がある。なお、この実施の形態においては、分割体５ａには、起立部５ｄの倒れを防止すべくその起立部５ｄを係止する係止片５ｇが設けられている。この係止片５ｇは、段ボール板が、起立部５ｄとは反対方向から切り起こされることで形成されている。そして、この係止片５ｇには、係止突起５ｈが設けられており、この係止突起５ｈが、起立部５ｄと係り合っている。そして、この実施の形態においては、起立部５ｄの面が、回動軸心Ｊを中心とする周方向を向いているため、起立部５ｄ、５ｄ同士が、スリット５ｅ、５ｅ部分で嵌まり合った状態のまま、二つの分割体５ａ、５ａを、起立部５ｄ、５ｄが倒れる側に、相対的に回動させれば、両側板部５ｃ、５ｃが互いに近接するようにして、この回動装置５は潰れる。したがって、回動装置５を廃棄する場合に、起立部５ｄ、５ｄ同士が、スリット５ｅ、５ｅ部分で嵌まり合ったままの状態で、この回動装置５を簡単に潰すことができる。
【００６３】
図２６および図２７に示す回動装置５によると、分割体５ａとなる板部材Ｔは、一枚の段ボール板からなっている。そして、この段ボール板が、３ヵ所切り起こされるようにして、起立部５ｄが形成され、残された部分が側板部５ｃとなっている。そして、この切り起こしにより、側板部５ｃ側には、切り欠きＶ、Ｖが形成される。また、起立部５ｄは、両端部分が折り曲げられて、断面コの字状に形成されている。そして、二つの分割体５ａ、５ａは、起立部５ｄ、５ｄ同士が、重合するようにして互いに他の起立部５ｄを補強し合うように嵌め合わされることにより、互いに組み付けられて管束１ａに取り付けられる。
【００６４】
図２８および図２９に示す回動装置５によると、分割体５ａにおいて、側板部５ｃから起立する起立部５ｄは、管束１ａの内周を間接的に支持している。詳細には、回動装置５は、分割体５ａ、５ａの他に、起立部５ｄに支えられて、管束１ａの内周を支持する支持部材５ｊを備えている。そして、この支持部材５ｊを介すことで、起立部５ｄが管束１ａの内周を支持するようになっている。具体的には、分割体５ａとなる板部材Ｔは、一枚の段ボール板からなっている。そして、この段ボール板が、６ヵ所切り起こされるようにして、起立部５ｄが形成され、残された部分が側板部５ｃとなっている。そして、この切り起こしにより、側板部５ｃ側には、孔Ｕ、Ｕが形成される。そして、二つの分割体５ａ、５ａは、起立部５ｄ、５ｄ同士が、交差するようにして、スリット５ｅ、５ｅ部分において嵌め合わされることにより、互いに組み付けられる。一方、支持部材５ｊは、ループ状、例えばリング状に形成されており、起立部５ｄ、５ｄを取り囲むようにして、それら起立部５ｄ、５ｄに嵌められて取り付けられる。もっとも、この支持部材５ｊは、リング状に形成されなくとも、多角形状等に形成されることで、間束の内周に当接する、角部または端部からなる縁部部分を有していてもよい。こうして、支持部材５ｊにおける、角部または端部からなる縁部部分が、管束１ａの内周に当接することで、支持部材５ｊは、管束１ａの内周の一部分に当接することとなり、この管束１ａの中央空間１ｄへの支持部材５ｊの挿入が容易となる。なお、このことは、後述する図４０および図４１に示す例においても同様である。
【００６５】
図３０および図３１に示す回動装置５によると、分割体５ａとなる板部材Ｔは、一枚の段ボール板からなっている。そして、この段ボール板が、例えば三ヵ所切り起こされるようにして、起立部５ｄとなる、長片状の第１起立部Ｄ１、Ｄ１が形成されている。さらに、段ボール板が、前記第１起立部Ｄ１、Ｄ１間において切り起こされるようにして、起立部５ｄとなる、短片状の第２起立部Ｄ２、Ｄ２が形成されている。そして、この切り起こしにより、側板部５ｃ側に、切り欠きＶ、Ｖおよび孔Ｕ、Ｕが形成される。また、第２起立部Ｄ２には、その先端側から切り込まれたスリット５ｋが形成されている。ここで、この回動装置５は、一方の分割体５ａの第１起立部Ｄ１と、他方の分割体５ａの第２起立部Ｄ２とが、交差（例えば、直交）するようにして、スリット５ｋ部分において嵌め合わされ、そして、一方の分割体５ａの第２起立部Ｄ２と、他方の分割体５ａの第１起立部Ｄ１とが、交差（例えば、直交）するようにして、スリット５ｋ部分において嵌め合わされて、互いに組み付けられる。また、この実施の形態においては、第１起立部Ｄ１は、管束１ａの内周を直接支持し、第２起立部Ｄ２は、第１起立部Ｄ１を介すことで、管束１ａの内周を間接的に支持している。
【００６６】
図３２および図３３に示す回動装置５によると、二つの分割体５ａ、５ａは、管束１ａの側面１ｂ、１ｂの各側から起立部５ｄ、５ｄが管束１ａの中央空間１ｄに挿入されて、一方の分割体５ａの起立部５ｄと他方の分割体５ａの側板部５ｃとが嵌め合わされ、かつ、一方の分割体５ａの側板部５ｃと他方の分割体５ａの起立部５ｄとが嵌め合わされることにより、互いに組み付けられて管束１ａに取り付けられる。詳細には、分割体５ａとなる板部材Ｔは、一枚の段ボール板からなっている。そして、この段ボール板が、例えば二ヵ所切り起こされるようにして、起立部５ｄが形成され、残された部分が側板部５ｃとなっている。そして、この切り起こしにより、側板部５ｃ側には、切り欠きＶ、Ｖが形成される。ここで、起立部５ｄには、その先端部分から突出するようにして延設された係合片Ｌが設けられている。そして、側板部５ｃには、スリット５ｍ、５ｍが設けられている。そこで、一方の分割体５ａの起立部５ｄにおける係合片Ｌが、他方の分割体５ａにおけるスリット５ｍに挿入され、そして、他方の分割体５ａの起立部５ｄにおける係合片Ｌが、一方の分割体５ａにおけるスリット５ｍに挿入され、こうして、起立部５ｄと側板部５ｃとが嵌め合わされる。そして、このように、それぞれの起立部５ｄと側板部５ｃとを嵌め合わさせることで、この回動装置５の強度を、さらに一層、十分に確保することができる。なお、図示実施の形態においては、係合片Ｌは、スリット５ｍに挿入された後に、折り曲げられる。
【００６７】
図３４および図３５に示す回動装置５によると、二つの分割体５ａ、５ａは、管束１ａの側面１ｂ、１ｂの各側から起立部５ｄ、５ｄが管束１ａの中央空間１ｄに挿入されて、起立部５ｄ、５ｄ同士が固着手段により接合されることにより、互いに組み付けられて管束１ａに取り付けられる。詳細には、分割体５ａとなる板部材Ｔは、一枚の段ボール板からなっている。そして、この段ボール板が、例えば四ヵ所切り起こされるようにして、起立部５ｄが形成され、残された部分が側板部５ｃとなっている。そして、この切り起こしにより、側板部５ｃ側には、孔Ｕ、Ｕが形成される。ここで、起立部５ｄには、側端部分が折り曲げられた接合片Ｍが形成されている。そして、二つの分割体５ａ、５ａは、起立部５ｄ、５ｄにおけるこの接合片Ｍ、Ｍ同士が、固着手段となる、接着材とか粘着テープ等により接合される。そして、このように、起立部５ｄ、５ｄ同士を固着手段により接合することで、この回動装置５の強度を、さらに一層、十分に確保することができる。
【００６８】
図３６および図３７に示す回動装置５によると、二つの分割体５ａ、５ａは、管束１ａの側面１ｂ、１ｂの各側から起立部５ｄ、５ｄが管束１ａの中央空間１ｄに挿入されて、一方の分割体５ａの起立部５ｄと他方の分割体５ａの側板部５ｃとが第１の固着手段により接合され、かつ、一方の分割体５ａの側板部５ｃと他方の分割体５ａの起立部５ｄとが第２の固着手段により接合されることにより、互いに組み付けられて管束１ａに取り付けられる。詳細には、分割体５ａとなる板部材Ｔは、一枚の段ボール板からなっている。そして、この段ボール板が、例えば三ヵ所切り起こされるようにして、起立部５ｄが形成され、残された部分が側板部５ｃとなっている。そして、この切り起こしにより、側板部５ｃ側には、孔Ｕ、Ｕが形成される。ここで、起立部５ｄには、先端部分が折り曲げられた接合片Ｎが形成されている。そこで、二つの分割体５ａ、５ａにおいて、一方の分割体５ａの起立部５ｄにおける接合片Ｎと他方の分割体５ａの側板部５ｃとが、第１の固着手段となる、接着材とか粘着テープ等により接合され、一方の分割体５ａの側板部５ｃと、他方の分割体５ａの起立部５ｄにおける接合片Ｎとが、第２の固着手段となる、接着材とか粘着テープ等により接合される。そして、このように、それぞれの起立部５ｄと側板部５ｃとを固着手段により接合することで、この回動装置５の強度を、さらに一層、十分に確保することができる。
【００６９】
図３８および図３９に示す回動装置５によると、二つの分割体５ａ、５ａは、起立部５ｄ、５ｄ同士が互いに他の起立部５ｄを補強し合うように嵌め合わされることなく、単に、一方が他方に位置決めされるように係合する。詳細には、分割体５ａとなる板部材Ｔは、一枚の段ボール板からなっている。そして、この段ボール板が、例えば四ヵ所切り起こされるようにして、起立部５ｄとなる、長片状の第１起立部Ｄ１、Ｄ１が形成されている。さらに、段ボール板が、第１起立部Ｄ１、Ｄ１間において切り起こされるようにして、起立部５ｄとなる、短片状の第２起立部Ｄ２、Ｄ２が形成されている。そして、この切り起こしにより、側板部５ｃ側に、切り欠きＶおよび孔Ｕが形成されている。ここで、回動装置５は、一方の分割体５ａの第１起立部Ｄ１が、他方の分割体５ａの第２起立部Ｄ２によって内側から支えられ、そして、他方の分割体５ａの第１起立部Ｄ１が、一方の分割体５ａの第２起立部Ｄ２によって内側から支えられるようにして、互いに位置決めされて組み合わされる。そして、二つの分割体５ａ、５ａは、第１起立部Ｄ１、Ｄ１同士が、接着材とか粘着テープ等の固着手段よって接合されたり、また、一の分割体５ａの第１起立部Ｄ１と他の分割体５ａの側板部５ｃとが、同じく固着手段によって接合されたりして、互いに組み付けられる。
【００７０】
図４０および図４１に示す回動装置５によると、分割体５ａにおいて、側板部５ｃから起立する起立部５ｄは、管束１ａの内周を間接的に支持している。詳細には、回動装置５は、分割体５ａの他に、起立部５ｄに支えられて、管束１ａの内周を支持する支持部材５ｊを備えている。そして、この支持部材５ｊを介すことで、起立部５ｄが管束１ａの内周を支持するようになっている。具体的には、分割体５ａとなる板部材Ｔは、一枚の段ボール板からなっている。そして、この段ボール板が、複数ヵ所切り起こされるようにして、起立部５ｄが形成され、残された部分が側板部５ｃとなっている。そして、この切り起こしにより、側板部５ｃ側には、孔Ｕ、Ｕが形成される。一方、支持部材５ｊは、ループ状、例えばリング状に形成されており、両分割体５ａ、５ａにおける起立部５ｄ、５ｄを取り囲むようにして、それら起立部５ｄ、５ｄに嵌められる。そして、分割体５ａにおける側板部５ｃと支持部材５ｊとが、接着材とか粘着テープ等の固着手段により接合される。
【００７１】
図４２および図４３に示す回動装置５によると、二つの分割体５ａ、５ａは、回動装置５が回動するための軸部材６を介して組み付けられて管束１ａに取り付けられる。すなわち、二つの分割体５ａ、５ａは、直接には組み付けられておらず、分離した状態となっている。詳細には、分割体５ａとなる板部材Ｔは、一枚の段ボール板からなっている。そして、この段ボール板が、例えば三ヵ所切り起こされるようにして、起立部５ｄが形成されている。そして、この切り起こしにより、側板部５ｃ側には、切り欠きＶ、Ｖが形成される。また、分割体５ａには、起立部５ｄの倒れを防止すべくその起立部５ｄを係止する係止片５ｇが設けられている。図示実施の形態においては、この係止片５ｇには、スリット５ｎが設けられており、このスリット５ｎと起立部５ｄとが係り合うことで、起立部５ｄは係止されて、その倒れが防止される。
【００７２】
また、図示しないが、この回動装置５における分割体５ａは、複数枚のダンボール板のうち内側の段ボール板が切り起こされあるいは折り起こされることで、起立部５ｄが形成されなくとも、例えば、複数枚の段ボール板のうちの少なくとも最外部に位置する段ボール板が切り起こされあるいは折り起こされて、起立部５ｄが形成されてもよい。こうすることで、梱包箱３の内壁面と擦る虞のある側板部５ｃにおいて、その擦る面積が小さくなるので、この回動装置５は、円滑に回動可能となる。
【００７３】
また、軸部材６は、紙製でなくとも、合成樹脂製等、その他の材料からなっていてもよい。
【００７４】
また、引出部３ｃは、梱包箱３の一面を形成する壁の一部に設けられてもよいが、一面全体が、引出部３ｃとなっていてもよい。すなわち、梱包箱３の一面を形成する壁の一部が、引出部３ｃを開閉する蓋３ｄとなる場合の他に、その一面を形成する壁全体が、引出部３ｃを開閉する蓋３ｄとなっていてもよい。また、このように、引出部３ｃには、その引出部３ｃを開閉する蓋３ｄが設けられているが、この蓋３ｄは無くともよい。すなわち、引出部３ｃは、梱包箱３の壁部の適宜部分を除去することにより形成されてもよい。
【００７５】
また、通水管１を梱包箱３の外に引き出す前、すなわち使用前においては、通水管１の管束１ａは、バインド等の結束線によって結束されている。そして、通水管１を梱包箱３の外に引き出す際に、この結束線を切断する。しかし、この結束線が、管束１ａ全体を結束するものであると、切断することにより、管束１ａ全体がばらけ易くなり、通水管１を引き出すことによって、管束１ａから離れようとする部分の通水管１が、管束１ａの内部に食い込む虞がある。こうして、管束１ａから離れようとする部分の通水管１が管束１ａの内部に食い込むと、通水管１を引き出すためにその通水管１を強く引かなければならず、その結果、回動装置５とか軸部材６とか梱包箱３にかかる負荷が大きくなる。
【００７６】
そこで、管束１ａを結束線で結束するにあたって、その全体を一度に結束するのではなく、図４４に示すように、第１段階として管束１ａの内側部分１ｅを結束線１２ａ、１２ａにより結束し、そして、第２段階として既に結束された部分の全体を含めてそれよりも外側部分１ｆまで結束線１２ｂ、１２ｂにより結束するというように、２段階に、あるいは３段階等、多段階に結束するのが好ましい。もっとも、第２段階以降の結束は、既に結束された部分の一部を含めてそれよりも外側部分まで結束してもよく、また、既に結束された部分とラップしないようにして、それよりも外側部分を結束してもよい。すなわち、管束１ａは、開放可能な結束手段としての結束線１２ａ、１２ｂによって結束されており、その結束は、管束１ａの外側部分の結束を開放しても、内側部分の結束が維持されるように、多段階の結束となっているのが好ましい。ところで、前記結束手段は、結束線１２ａ、１２ｂでなくとも、例えば、管束１ａの側面１ｂ側から通水管１に嵌められる、Ｃ形形状等に形成された複数のクリップ部を有する、結束具であってもよい。
【００７７】
このように、通水管１の引き出し量に応じて、順次、外側から管束１ａの結束を開放することで（図示実施の形態においては、始めに、結束線１２ｂ、１２ｂを切断し、その後、結束線１２ａ、１２ａを切断することで）、管束１ａのばらける量を減らすことができる。こうして、管束１ａから離れようとする部分の通水管１が管束１ａの内部に食い込み難くなり、回動装置５とか軸部材６とか梱包箱３にかかる負荷が小さくなる。しかも、管束１ａの内側部分の結束が開放されるまでは、回動装置５が管束１ａと一体となって回動することが可能となり、通水管１が回動装置５と擦って傷付くのを防ぐことができ、また、通水管１の引き出しを円滑にすることができる。なお、管束１ａは、回動装置５の構成如何によっては、回動装置５とともに結束され得る。
【００７８】
また、この梱包装置１０あるいは梱包装置体１１は、通水管１を引き出すにあたって、縦置きにして（梱包箱３の側壁３ｆが縦になった状態で）用いてもよいが、横置きにして（梱包箱３の側壁３ｆが横になった状態で）用いても勿論よい。
【００７９】
ところで、この回動装置５、梱包装置１０、および梱包装置体１１の構造は、通水管１の管束１ａを支持する、通水管１の回動装置、通水管１の梱包装置、および通水管１の梱包装置体に適用されるが、その他に、通水管１を含み広く配管材の管束を支持する、配管材の回動装置、配管材の梱包装置、および配管材の梱包装置体に適用されてもよい。すなわち、この回動装置、梱包装置、および梱包装置体により、配管材を支持するとともに、配管材をその端部から順に梱包箱の外に引き出すことができる。さらに、この構造は、配管材に限らず、配線材（ケーブル）を含むことで、周回状に巻回された配線・配管材の巻回束を支持する、配線・配管材の回動装置、配線・配管材の梱包装置、および配線・配管材の梱包装置体に適用されてもよい。すなわち、この回動装置、梱包装置、および梱包装置体により、配線・配管材を支持するとともに、配線・配管材をその端部から順に梱包箱の外に引き出すことができる。
【００８０】
【発明の効果】
以上、詳述したところから明らかなように、この発明に係る通水管の回動装置、通水管の梱包装置、および通水管の梱包装置体によれば、次の効果がある。
【００８１】
請求項１、２、４および２０に記載された通水管の回動装置、請求項２１に記載された通水管の梱包装置、並びに請求項２２に記載された通水管の梱包装置体によれば、管束の内周を直接的にあるいは間接的に支持する起立部が、板部材が切り起こされあるいは折り起こされるようにして形成されることで、分割体の一体性が保たれ、回動装置の強度を十分に確保することができる。
【００８２】
また、請求項３に記載された通水管の回動装置によれば、請求項２の効果に加えて、起立部が、管束の内周に当接する、角部または端部からなる縁部部分を有することから、その起立部は、管束の内周の一部分に当接することとなり、起立部を、管束の中央空間へ容易に挿入することができる。
【００８３】
また、請求項５に記載された通水管の回動装置によれば、請求項１ないし４のいずれか１項の効果に加えて、梱包箱の内壁面と擦る虞のある側板部において、その擦る面積が小さくなるので、この回動装置を、円滑に回動させることができる。
【００８４】
また、請求項６に記載された通水管の回動装置によれば、請求項１ないし４のいずれか１項の効果に加えて、分割体は、相重なる複数枚の段ボール板によって形成されるので、この分割体の強度を安定させることができる。
【００８５】
また、請求項７に記載された通水管の回動装置によれば、請求項６の効果に加えて、梱包箱の内壁面と擦る虞のある側板部において、その擦る面積が小さくなるので、この回動装置を、円滑に回動させることができる。
【００８６】
また、請求項８に記載された通水管の回動装置によれば、請求項５または７の効果に加えて、起立部を形成するための切り起こしあるいは折り起こしによる切り欠きにより、側板部が梱包箱の内壁面と擦る面積を小さくすることができる。
【００８７】
また、請求項９に記載された通水管の回動装置によれば、請求項５または７の効果に加えて、起立部を形成するための切り起こしあるいは折り起こしによる孔により、側板部が梱包箱の内壁面と擦る面積を小さくすることができる。
【００８８】
また、請求項１０に記載された通水管の回動装置によれば、請求項９の効果に加えて、摺接防止部を、側板部の全周に渡って設けることで、管束を構成する通水管が摺接防止部と梱包箱の内壁面との間に入り込むのを阻止することができる。
【００８９】
また、請求項１１に記載された通水管の回動装置によれば、請求項１ないし１０のいずれか１項の効果に加えて、前記起立部が、二つの分割体に設けられることから、それぞれの分割体の一体性が保たれ、この回動装置の強度を、一層、十分に確保することができる。
【００９０】
また、請求項１２に記載された通水管の回動装置によれば、請求項１１の効果に加えて、前記起立部が互いに他の起立部を補強し合うことで、この回動装置の強度を、さらに一層、十分に確保することができる。
【００９１】
また、請求項１３に記載された通水管の回動装置によれば、請求項１２の効果に加えて、互いに嵌め合わされた起立部が、回動軸心を囲むようにして閉鎖する枠体を形成することで、この回動装置の強度を、より一層、十分に確保することができる。
【００９２】
また、請求項１４に記載された通水管の回動装置によれば、請求項１３の効果に加えて、回動軸心を囲むようにして閉鎖する枠体が、起立部となる一対の対面板が井桁状に嵌め合わされて形成されることで、この回動装置の強度を、確実に維持することができる。
【００９３】
また、請求項１５に記載された通水管の回動装置によれば、請求項１２ないし１４のいずれか１項の効果に加えて、起立部が、スリット部分での嵌め合いにより掛かり合うことで、二つの分割体を確実に組み付けることができる。
【００９４】
また、請求項１６に記載された通水管の回動装置によれば、請求項１１の効果に加えて、それぞれの起立部と側板部とを嵌め合わせることで、この回動装置の強度を、さらに一層、十分に確保することができる。
【００９５】
また、請求項１７に記載された通水管の回動装置によれば、請求項１１の効果に加えて、起立部同士を固着手段により接合することで、この回動装置の強度を、さらに一層、十分に確保することができる。
【００９６】
また、請求項１８に記載された通水管の回動装置によれば、請求項１１の効果に加えて、それぞれの起立部と側板部とを、固着手段により接合することで、この回動装置の強度を、さらに一層、十分に確保することができる。
【００９７】
また、請求項１９に記載された通水管の回動装置によれば、請求項１１ないし１８のいずれか１項の効果に加えて、二つの分割体を、同一の形状および同一の寸法とすることで、部品の共通化が図られ、この回動装置のコストを低減することができる。
【図面の簡単な説明】
【図１】この発明に係る通水管の回動装置、通水管の梱包装置、および通水管の梱包装置体の一実施の形態の、蓋を開状態としたときの斜視図である。
【図２】同じく、図１におけるＡ−Ａ線による断面図である。
【図３】同じく、蓋を閉状態としたときの斜視図である。
【図４】同じく、図３におけるＢ−Ｂ線による断面図である。
【図５】同じく、回動装置の斜視図である。
【図６】同じく、回動装置の分解斜視図である。
【図７】同じく、回動装置における、分割体の展開図である。
【図８】同じく、軸部材が、第１の分割体と第２の分割体とに分離された状態を示す斜視図である。
【図９】同じく、軸部材の分解斜視図である。
【図１０】同じく、回動装置の、第１の変形例を示す、斜視図である。
【図１１】同じく、回動装置の、第１の変形例を示す、分解斜視図である。
【図１２】同じく、回動装置の、第２の変形例を示す、斜視図である。
【図１３】同じく、回動装置の、第２の変形例を示す、分解斜視図である。
【図１４】同じく、回動装置の、第３の変形例を示す、斜視図である。
【図１５】同じく、回動装置の、第３の変形例を示す、分解斜視図である。
【図１６】同じく、回動装置の、第４の変形例を示す、斜視図である。
【図１７】同じく、回動装置の、第４の変形例を示す、分解斜視図である。
【図１８】同じく、回動装置の、第５の変形例を示す、斜視図である。
【図１９】同じく、回動装置の、第５の変形例を示す、分解斜視図である。
【図２０】同じく、回動装置の、第６の変形例を示す、斜視図である。
【図２１】同じく、回動装置の、第６の変形例を示す、分解斜視図である。
【図２２】同じく、回動装置の、第７の変形例を示す、斜視図である。
【図２３】同じく、回動装置の、第７の変形例を示す、分解斜視図である。
【図２４】同じく、回動装置の、第８の変形例を示す、斜視図である。
【図２５】同じく、回動装置の、第８の変形例を示す、分解斜視図である。
【図２６】同じく、回動装置の、第９の変形例を示す、斜視図である。
【図２７】同じく、回動装置の、第９の変形例を示す、分解斜視図である。
【図２８】同じく、回動装置の、第１０の変形例を示す、斜視図である。
【図２９】同じく、回動装置の、第１０の変形例を示す、分解斜視図である。
【図３０】同じく、回動装置の、第１１の変形例を示す、斜視図である。
【図３１】同じく、回動装置の、第１１の変形例を示す、分解斜視図である。
【図３２】同じく、回動装置の、第１２の変形例を示す、斜視図である。
【図３３】同じく、回動装置の、第１２の変形例を示す、分解斜視図である。
【図３４】同じく、回動装置の、第１３の変形例を示す、斜視図である。
【図３５】同じく、回動装置の、第１３の変形例を示す、分解斜視図である。
【図３６】同じく、回動装置の、第１４の変形例を示す、斜視図である。
【図３７】同じく、回動装置の、第１４の変形例を示す、分解斜視図である。
【図３８】同じく、回動装置の、第１５の変形例を示す、斜視図である。
【図３９】同じく、回動装置の、第１５の変形例を示す、分解斜視図である。
【図４０】同じく、回動装置の、第１６の変形例を示す、斜視図である。
【図４１】同じく、回動装置の、第１６の変形例を示す、分解斜視図である。
【図４２】同じく、回動装置の、第１７の変形例を示す、斜視図である。
【図４３】同じく、回動装置の、第１７の変形例を示す、分解斜視図である。
【図４４】同じく、管束の結束方法を示す概略図である。
【図４５】従来の、ケーブルの収納装置を示す断面図である。
【符号の説明】
１  通水管                        １ａ  管束
１ｂ  側面                        １ｄ  中央空間
３  梱包箱                        ５  回動装置
５ａ  分割体                      ５ｂ  摺接防止部
５ｃ  側板部                      ５ｄ  起立部
５ｅ  スリット                    ５ｊ  支持部材
６  軸部材                        １０  梱包装置
１１  梱包装置体
Ｅ  縁部部分                      Ｊ  回動軸心
Ｐ  対面板                        Ｔ  板部材
Ｕ  孔                            Ｖ  切り欠き
Ｙ  枠体
【図１】
2004231325.tif 000003
【図２】
2004231325.tif 000004
【図３】
2004231325.tif 000005
【図４】
2004231325.tif 000006
【図５】
2004231325.tif 000007
【図６】
2004231325.tif 000008
【図７】
2004231325.tif 000009
【図８】
2004231325.tif 000010
【図９】
2004231325.tif 000011
【図１０】
2004231325.tif 000012
【図１１】
2004231325.tif 000013
【図１２】
2004231325.tif 000014
【図１３】
2004231325.tif 000015
【図１４】
2004231325.tif 000016
【図１５】
2004231325.tif 000017
【図１６】
2004231325.tif 000018
【図１７】
2004231325.tif 000019
【図１８】
2004231325.tif 000020
【図１９】
2004231325.tif 000021
【図２０】
2004231325.tif 000022
【図２１】
2004231325.tif 000023
【図２２】
2004231325.tif 000024
【図２３】
2004231325.tif 000025
【図２４】
2004231325.tif 000026
【図２５】
2004231325.tif 000027
【図２６】
2004231325.tif 000028
【図２７】
2004231325.tif 000029
【図２８】
2004231325.tif 000030
【図２９】
2004231325.tif 000031
【図３０】
2004231325.tif 000032
【図３１】
2004231325.tif 000033
【図３２】
2004231325.tif 000034
【図３３】
2004231325.tif 000035
【図３４】
2004231325.tif 000036
【図３５】
2004231325.tif 000037
【図３６】
2004231325.tif 000038
【図３７】
2004231325.tif 000039
【図３８】
2004231325.tif 000040
【図３９】
2004231325.tif 000041
【図４０】
2004231325.tif 000042
【図４１】
2004231325.tif 000043
【図４２】
2004231325.tif 000044
【図４３】
2004231325.tif 000045
【図４４】
2004231325.tif 000046
【図４５】
2004231325.tif 000047